(57)【要約】【課題】複数の部品を留め具で結合してなる結合構造体を容易に分解でき、且つその結合構造体を備えた機器の小型化を図る。【解決手段】互いに対応する位置に挿入孔（43, 45）を有する表側キャビネット（15）と裏側キャビネット（17）とを重ね合わせ、これら両キャビネット（15, 17）の挿入孔（43, 45）に裏側キャビネット（17）側から留め具（35）を挿入することで、表側キャビネット（15）と裏側キャビネット（17）とを結合する構造において、留め具（35）の一部を裏側キャビネット（17）の挿入孔（45）から露出させ、その留め具（35）の露出部分に両キャビネット（15, 17）の挿入孔（43, 45）から取り出すための把手（55）及び取外し用孔（57）を設ける。【選択図】図３
2015130609.tif 000002
【特許請求の範囲】
【請求項１】
互いに対応する位置に挿入孔を有する第１部品と第２部品とを重ね合わせ、これら両部品の挿入孔に前記第２部品側から留め具を挿入することで、前記第１部品と前記第２部品とを結合する部品の結合構造であって、
前記第２部品の挿入孔は、前記留め具を該留め具の挿入方向と直交する方向における一方側で露出させており、
前記留め具のうち前記第２部品の挿入孔から露出した部分には、当該留め具を前記第１部品及び第２部品の挿入孔から取り外すための取外し用係合部が設けられている
ことを特徴とする部品の結合構造。
【請求項２】
請求項１に記載された部品の結合構造において、
前記第１部品及び第２部品は、互いに対向して配置され、共に筐体を構成するキャビネットであり、
前記第１部品の外周縁部には、前記第２部品側に突出した内側壁部が設けられ、
前記第２部品の外周縁部には、前記第１部品側に突出し、前記第１部品の内側壁部の外側を延びる外側壁部が設けられ、
前記挿入孔は、前記第１部品の内側壁部及び第２部品の外側壁部に側方に向けて開放させてそれぞれ設けられ、
前記留め具は、前記第１部品及び第２部品の挿入孔に挿入されることで、これら両部品を対向方向に固定している
ことを特徴とする部品の結合構造。
【請求項３】
請求項１又は２に記載された部品の結合構造において、
前記留め具には、前記第２部品と前記第１部品との間に嵌まって、当該留め具を取り外す方向において前記第２部品に引っ掛かる抜止め片が設けられている
ことを特徴とする部品の結合構造。
【請求項４】
請求項１〜３のいずれか１項に記載された部品の結合構造において、
前記取外し用係合部は、前記留め具の露出側に突出させて設けられた把手と、前記留め具の露出側に向けて開放させて設けられた取外し用孔とのうちの少なくとも一方である
ことを特徴とする部品の結合構造。
【請求項５】
請求項１〜４のいずれか１項に記載された部品の結合構造を備え、
前記第１部品と前記第２部品とは、ビス止めもされている
ことを特徴とする電子機器。
【発明の詳細な説明】
【技術分野】
【０００１】
本開示は、留め具による部品の結合構造及びそれを備える電子機器に関する。
【背景技術】
【０００２】
従来から、機器を構成する部品の結合構造として、互いに対応する位置に挿入孔を設けておいた部品同士を重ね合わせて、これら両部品の挿入孔に留め具を挿入することで、２つの部品を留め具で互いに固定する構造が知られている。
【０００３】
例えば、特許文献１には、このような部品の結合構造を採用した折り畳み式携帯電話機のヒンジ構造が開示されている。このヒンジ構造では、携帯電話機の上側半体を構成する第１ユニットと下側半体を構成する第２ユニットとに、これら２つのユニットを結合するための結合用ブラケットをそれぞれ有している。第１ユニットと第２ユニットとは、これら両結合用ブラケットの互いに対応する位置に設けられた挿入孔に留め具としてのヒンジ部品を完全に挿入することで、互いに結合されている。そして、特許文献１のヒンジ構造では、２つのユニットのうち外側に位置する第２ユニットの結合用ブラケットとヒンジ部品とをカバー部品で覆うことによって、ヒンジ部品が抜け出ることを防止している。
【先行技術文献】
【特許文献】
【０００４】
【特許文献１】特開２００５−０９０６４１号公報
【発明の概要】
【発明が解決しようとする課題】
【０００５】
しかし、特許文献１に開示された部品の結合構造のように留め具を挿入孔に完全に入れ込む構造では、部品同士を一旦結合した後においては挿入孔から留め具を引き抜くことが難しいため、複数の部品が留め具で結合されてなる結合構造体の分解が困難である。また、同構造では、留め具の挿入方向における前側はもちろん後側までも被結合部品で覆われているため、留め具による部品の結合箇所を覆うカバー部品を大型化せざるを得ず、ひいては機器の大型化に繋がる。
【０００６】
本発明は、斯かる点に鑑みてなされたものであり、その目的とするところは、分解が容易であり、且つ機器の小型化を図ることが可能な部品の結合構造を提供することにある。
【課題を解決するための手段】
【０００７】
上記の目的を達成するために、この発明では、留め具の一部を２つの被結合部品のうち留め具の挿入方向における手前側に位置する部品の挿入孔から露出させ、その留め具の露出部分に被結合部品の挿入孔から取り出すための形状部分を設けるようにした。
【０００８】
具体的には、本発明は、互いに対応する位置に挿入孔を有する第１部品と第２部品とを重ね合わせ、これら両部品の挿入孔に第２部品側から留め具を挿入することで、第１部品と第２部品とを結合する部品の結合構造を対象とし、以下の解決手段を講じたものである。
【０００９】
すなわち、本発明は、第２部品の挿入孔が、留め具をその留め具の挿入方向と直交する方向における一方側で露出させている構成を有する。そして、本発明は、留め具のうち第２部品の挿入孔から露出した部分に、第１部品及び第２部品の挿入孔から留め具を取り外すための取外し用係合部が設けられていることを特徴とする。
【００１０】
この構成によると、第２部品の挿入孔から留め具を挿入方向と直交する方向における一方側で露出させるようにしたから、留め具ともども第２部品の挿入孔の周辺部分を覆うようにカバー部品を設ける場合には、そのカバー部品を留め具の露出分だけ小型化することができる。これによって、部品の結合構造を備えた機器の小型化を図ることができる。さらに、留め具のうち第２部品の挿入孔からの露出部分に取外し用係合部を設けるようにしたので、この取外し用係合部を用いて第１部品及び第２部品の挿入孔から留め具を簡単に取り外すことができる。
【発明の効果】
【００１１】
したがって、本発明によれば、第１部品と第２部品とを留め具で結合してなる結合構造体を容易に分解でき、且つその結合構造体を備えた機器の小型化を図ることができる。
【図面の簡単な説明】
【００１２】
【図１】図１は、本発明の実施形態に係る携帯電話機の分解斜視図である。
【図２】図２は、本発明の実施形態に係る携帯電話機のリヤカバーを取り外した状態を示す背面図である。
【図３】図３は、本発明の実施形態に係る携帯電話機のうち図２に示す拡大部分の斜視図である。
【図４】図４（ａ）は、本発明の実施形態に係る携帯電話機のうち図２のIVa−IVa線における断面図であり、図４（ｂ）は、当該携帯電話機のうち図２のIVb−IVb線における断面図である。
【図５】図５は、本発明の実施形態に係る携帯電話機において留め具を取り外す方法の一例を示す図４（ａ）対応箇所の断面図である。
【図６】図６（ａ）は、本発明の実施形態の変形例に係る携帯電話機のうち図４（ａ）相当図であり、図６（ｂ）は、当該携帯電話機のうち図２のVIb−VIb線相当箇所の断面図である。
【発明を実施するための形態】
【００１３】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００１４】
この実施形態では、本発明に係る部品の結合構造及びそれを備える電子機器について、携帯電話機を例に挙げて説明する。なお、本実施形態では、説明の便宜上、携帯電話機について、表示装置の画面の法線方向における前側を「正面」、同方向における後側を「背面」と称し、上下方向における上側を「上」、同方向における下側を「下」と称し、正面側から見たときの左右方向における左側を「左」、同方向における右側を「右」と称する。
【００１５】
図１は、この実施形態に係る携帯電話機１の分解斜視図である。図２は、携帯電話機１のリヤカバー１９を取り外した状態を示す背面図である。図３は、携帯電話機１のうち図２に示す拡大部分の斜視図である。図４（ａ）は、携帯電話機１のうち図２のIVa−IVa線における断面図であり、図４（ｂ）は、携帯電話機１のうち図２のIVb−IVb線における断面図である。
【００１６】
携帯電話機１は、ストレートタイプのスマートフォンと呼ばれる携帯端末であり、図１に示すように、正面視で略長方形状の扁平な筐体３内に、スピーカやマイク（共に不図示）、カードコネクタ５及びこれが組み付けられたサブ回路基板７、カメラユニット９、メイン回路基板１１、電池パック１３などの複数の電子部品を収容した構造を有する。
【００１７】
筐体３は、タッチパネル付きの表示装置１４（図４（ａ），（ｂ）参照）を表面側に収容する第１部品である表側キャビネット１５と、この表側キャビネット１５の背面側に取り付けられた第２部品である裏側キャビネット１７と、この裏側キャビネット１７の背面側を覆うカバー部品であるリヤカバー１９とで構成されている。これら表側キャビネット１５と裏側キャビネット１７とリヤカバー１９とは、前後方向において互いに対向して配置されている。
【００１８】
表側キャビネット１５は、図４（ａ），（ｂ）に示すように、剛性部材として金属板２１をインサート成形した樹脂成型品である。具体的には、表側キャビネット１５は、長方形板状のステンレス鋼板などの金属板２１と、この金属板２１の外周縁を覆う長方形枠状の樹脂製フレーム部２３とが一体に形成されてなる。このような構成の表側キャビネット１５では、インサートされた金属板２１により強度が増し、全体の厚さを薄くしながら強度を確保できる。
【００１９】
表側キャビネット１５のフレーム部２３は、図１に示すように、裏側キャビネット１７側である背面側に壁状に突出した内側壁部２５を構成している。この内側壁部２５は、表側キャビネット１５の外周縁部の略全周に亘って延びていて、左右方向に互いに平行に延びる上下一対の側壁部２５ａ，２５ｂ、つまり表側キャビネット１５のうち上縁部に設けられた上側壁部２５ａ及び下縁部に設けられた下側壁部２５ｂと、上下方向に互いに平行に延びる左右一対の側壁部２５ｃ，２５ｄ、つまり表側キャビネット１５のうち左縁部に設けられた左側壁部２５ｃ及び右縁部に設けられた右側壁部２５ｄとからなる。
【００２０】
裏側キャビネット１７は、平面視で表側キャビネット１５と略同一の外形を有する樹脂成型品であって、その主体をなす後壁部２７と、この後壁部２７の外周縁部から表側キャビネット１５側である正面側に壁状に突出した外側壁部２９とで構成されている。裏側キャビネット１７の後壁部２７には、その中程に大面積の開口２７ａが形成されていて、この開口２７ａを覆うように防水シート３１が取り付けられている。
【００２１】
裏側キャビネット１７の外側壁部２９は、表側キャビネット１５の内側壁部２５の外側を延びていて、その内側壁部２５と重ね合わせられている。この外側壁部２９は、後壁部２７の左右両縁部に沿って上下方向に延びる左右一対の側壁部２９ａ，２９ｂ、つまり後壁部２７の左縁部に沿って延びる左側壁部２９ａと、後壁部２７の右縁部に沿って延びる右側壁部２９ｂとを有する。外側壁部２９のうち左側壁部２９ａは内側壁部２５の左側壁部２５ｃに、外側壁部２９のうち右側壁部２９ｂは内側壁部２５の右側壁部２５ｄに、それぞれ左右方向において重ね合わせられている。
【００２２】
リヤカバー１９は、平面視で裏側キャビネット１７と略同一の外形を有する浅い長方形皿状の樹脂成型品である。このリヤカバー１９と裏側キャビネット１７とは、図示しないが、これら両部品１７，１９のうち一方の部品、例えば裏側キャビネット１７に設けられた係止孔と、他方の部品、例えばリヤカバー１９に設けられた係止爪とを係合させることで、互いに結合されている。
【００２３】
また、表側キャビネット１５と裏側キャビネット１７とは、図１及び図２に示すように、複数のビス４１と複数の留め具３５とを併用して互いに結合されている。そのことで、表側キャビネット１５と裏側キャビネット１７とを結合してなる結合構造体を小型化しつつ、これら両キャビネット１５，１７をしっかりと結合することができる。
【００２４】
ビス４１は、携帯電話機１の背面視で空間的に余裕のある箇所、具体的には表側キャビネット１５及び裏側キャビネット１７の上下両側部分を複数個所で留めている。
【００２５】
表側キャビネット１５には、上端寄り部分の左右両側１箇所ずつ及びその間の１箇所と、下端寄りの部分の左右両側１箇所ずつ及びその間の２箇所とに、ねじ孔を有するボス部３７がそれぞれ設けられている。また、裏側キャビネット１７には、表側キャビネット１５の各ボス部３７のねじ孔に対応する箇所に挿通孔３９が形成されている。そして、表側キャビネット１５と裏側キャビネット１７とは、裏側キャビネット１７の背面側から同キャビネット１７の挿通孔３９を挿通させたビス４１を表側キャビネット１５のボス部３７のねじ孔に挿入することで、互いにビス止めされている。
【００２６】
他方、留め具３５は、携帯電話機１の背面視で空間的に狭い箇所、具体的には表側キャビネット１５及び裏側キャビネット１７の左右両側端部を複数個所で留めている。
【００２７】
表側キャビネット１５の左側壁部２５ｃのうち上下両端部を除く部分には、図１、図３及び図４（ａ），（ｂ）に示すように、左方に開放された凹部からなる挿入孔４３が上下方向に間隔をあけて複数（図１に示す例では３つ）設けられている。表側キャビネット１５の右側壁部２５ｄのうち上下両端部を除く部分には、右方に開放された凹部からなる挿入孔４３が左側壁部２５ｃの各挿入孔４３の右側に対応する箇所に設けられている。
【００２８】
また、裏側キャビネット１７における左右両側の側壁部２９ａ，２９ｂには、表側キャビネット１５における左右両側の側壁部２５ｃ，２５ｄの各挿入孔４３に対応する箇所に、当該挿入孔４３の全体を露出させる挿入孔４５が形成されている。そして、表側キャビネット１５と裏側キャビネット１７とは、両方の挿入孔４３，４５に留め具３５を外側方から挿入することで、互いに固定されている。
【００２９】
裏側キャビネット１７の挿入孔４５は、同キャビネット１７の後壁部２７のうち側端縁の後方に臨む面を含んで後側から前方に切り欠いたような形状であって、背面視で上下方向に延びる凹形状をなしている。この挿入孔４５は、留め具３５のうちその挿入方向における手前側部分、つまり表側キャビネット１５及び裏側キャビネット１７の左縁部分を留める留め具３５では当該留め具３５の左側部分を、これら両キャビネット１５，１７の右縁部分を留める留め具３５では当該留め具３５の右側部分を、その挿入方向と直交する方向における一方側である後側に露出させている。
【００３０】
裏側キャビネット１７における挿入孔４５の周縁部は、留め具３５の露出側である後側でその留め具３５の挿入方向と直交する方向である前後方向において表側キャビネット１５の側壁部２５ｃ，２５ｄの後面と当接する当接部４９と、留め具３５のうち露出側とは反対側である前側の面に当接して係止される係止部５１とを有している。
【００３１】
裏側キャビネット１７の当接部４９は、同キャビネット１７の後壁部２７で構成されていて、挿入孔４５の周縁部のみならず当該裏側キャビネット１７の外周縁部の全周に亘って設けられている。この当接部４９は、表側キャビネット１５の内側壁部２５の後面との間にループ状の防水パッキン４７を挟み込んでいる。そのことで、表側キャビネット１５と裏側キャビネット１７とを結合させた結合構造体の内部、つまり筐体３内部への水の浸入を防止している。
【００３２】
裏側キャビネット１７の係止部５１は、同キャビネット１７の側壁部２９ａ，２９ｂで構成されている。裏側キャビネット１７は、当接部４９を表側キャビネットの側壁部２５ｃ，２５ｄ後面に当接させた状態で、係止部５１の後方への移動を留め具３５で規制することにより、表側キャビネット１５に固定されている。こうして、留め具３５は、両キャビネット１５，１７を対向方向において固定している。
【００３３】
留め具３５は、正面視で長方形の小片板状に形成された樹脂製の器具である。この留め具３５のうち裏側キャビネット１７の挿入孔４５から露出した部分には、当該留め具３５を表側キャビネット１５及び裏側キャビネット１７の両挿入孔４３，４５から取り外すための取外し用係合部５３として把手５５及び取外し用孔５７が設けられている。
【００３４】
把手５５は、留め具３５の挿入方向における後側の端縁部に沿って当該留め具３５の露出側に突出させて設けられた突出物である。取外し用孔５７は、この把手５５に対して留め具３５の挿入方向における前側に隣接し、留め具３５の露出側に向けて開放させて設けられると共に当該留め具３５を前後方向に貫通している。
【００３５】
また、表側キャビネット１５の挿入孔４３の周縁部のうち前側に位置する部分は、角を取るように切り欠かれて傾斜面５９を構成しており、裏側キャビネット１７の係止部５１との間に略三角形状の空間を形成するようになっている。留め具３５には、この表側キャビネット１５の傾斜面５９と裏側キャビネット１７の係止部５１との間の空間に嵌る抜止め片６１が前方に突出させて設けられている。
【００３６】
留め具３５は、この抜止め片６１が表側キャビネット１５の挿入孔４３の周縁に支えることで、裏側キャビネット１７の挿入孔４５から取外し用孔５７を部分的に露出させる位置に位置決めされている。また、留め具３５は、この抜止め片６１が裏側キャビネット１７の係止部５１の内側面に引っ掛かることで、表側キャビネット１５及び裏側キャビネット１７の挿入孔４３，４５に挿入された後においては、これら両挿入孔４３，４５から外力を付加せずには抜け難くなっている。
【００３７】
図５は、携帯電話機１において留め具３５を取り外す方法の一例を示す図４（ａ）対応箇所の断面図である。上記留め具３５を表側キャビネット１５及び裏側キャビネット１７の挿入孔４３，４５から取り外す作業は、以下のように簡単な作業である。
【００３８】
すなわち、留め具３５は、リヤカバー１９を取り外した携帯電話機１において、当該留め具３５の把手５５を指などで挿入孔４３，４５から抜く方向に押したり、図５に示すように、当該留め具３５の取外し用孔５７にピン等の細長い針状の治具１０１を後側から差し込んでその治具１０１を裏側キャビネット１７との当接箇所を支点として当該留め具３５を斜め後方に押し出すように図５中に矢印で示す方向に回転させたりすることで、留め具３５の抜止め片６１による裏側キャビネット１７の係止部５１への引っ掛かりを外せば、挿入孔４３，４５から簡単に取り出すことができる。表側キャビネット１５と裏側キャビネット１７との結合構造体は、このようにして留め具３５を取り外すと共に、ビス４１をねじ回し（ドライバー）で取り外すことによって、容易に分解することができる。
【００３９】
この実施形態によると、裏側キャビネット１７の挿入孔４５から留め具３５を後側で露出させるようにしたから、リヤカバー１９を留め具３５の露出分だけ小型化することができる。これによって、携帯電話機１の小型化を図ることができる。
【００４０】
さらに、この実施形態によると、留め具３５のうちの裏側キャビネット１７の挿入孔４５からの露出部分に把手５５及び取外し用孔５７を設けるようにしたので、これら把手５５又は取外し用孔５７を用いて表側キャビネット１５及び裏側キャビネット１７の挿入孔４３，４５から留め具３５を簡単に取り外すことができる。これによって、表側キャビネット１５と裏側キャビネット１７との結合構造体、ひいては筐体３を容易に分解することができる。
【００４１】
−変形例１−
図６（ａ）は、この変形例に係る携帯電話機１のうち図４（ａ）相当図であり、図６（ｂ）は、この変形例に係る携帯電話機１のうち図２のVIb−VIb線相当箇所の断面図である。上記実施形態では、表側キャビネット１５と裏側キャビネット１７とをビス４１と留め具３５とを併用して結合した形態を例に挙げて説明したが、表側キャビネット１５と裏側キャビネット１７とは、さらに係止爪７１による結合構造を有していてもよい。
【００４２】
例えば、図６（ａ）に示すように、裏側キャビネット１７のうち留め具３５での固定箇所における係止部５１には、係止爪７１が筐体３内側に向けて突出させて設けられている。表側キャビネット１５の左右両側の側壁部２５ｃ，２５ｄのうちこの係止部５１と対応する部分には、前後方向において係止爪７１が引っ掛かる庇部７３が外側方に向かって若干張り出すように設けられている。裏側キャビネット１７は、同キャビネット１７の係止爪７１を表側キャビネット１５の庇部７３に引っ掛けることでも、表側キャビネット１５に結合されている。
【００４３】
また、このような係止爪７１による結合構造は、図６（ｂ）に示すように、裏側キャビネット１７のうち留め具３５での固定箇所から上下方向に外れた部分に設けられていても構わない。
【００４４】
このような構成によれば、表側キャビネット１５と裏側キャビネット１７とをよりいっそう強固に結合することができ、これら両キャビネット１５，１７の結合の信頼性を向上させることができる。
【００４５】
−変形例２−
上記実施形態では、留め具３５は、樹脂製であるとしたが、ステンレスなどの金属製であってもよい。このような構成によれば、留め具３５の肉厚を薄くすることができ、携帯電話機１の小型化によりいっそう貢献することができる。
【００４６】
なお、上記実施形態では、表側キャビネット１５と裏側キャビネット１７とをビス４１と留め具３５とを併用して結合した形態を例に挙げて説明したが、これに限らず、表側キャビネット１５と裏側キャビネット１７とは、留め具３５のみを用いて結合されていてもよい。このような構成によっても、表側キャビネット１５と裏側キャビネット１７との結合構造体を容易に分解でき、且つ携帯電話機１の小型化を図ることができる。
【００４７】
また、上記実施形態では、留め具３５が取外し用係合部５３として把手５５及び取外し用孔５７を備えた形態を説明したが、これに限らず、留め具３５が備える取外し用係合部は５３、把手５５及び取外し用孔５７のうちいずれか一方だけであってもよいし、治具を必要とするか否かに拘わらず留め具３５の取外しを容易化するものであればよく、指や治具などと係合可能な凹部などのその他の形状に形成された部分であっても構わない。
【００４８】
また、上記実施形態では、防水構造を有する携帯電話機１を例に挙げて説明したので、裏側キャビネット１７の当接部４９が同キャビネット１７の外周縁部の全周に亘って設けられているとしたが、これに限らず、防水構造を有さなければ、裏側キャビネット１７の当接部４９は、同キャビネット１７の外周縁部に部分的に設けられていてもよく、例えば同キャビネット１７の外周縁部に沿って間隔をあけて複数箇所に設けられていても構わない。このような場合、当接部４９が設けられる箇所は、必ずしも裏側キャビネット１７の挿入孔４９の周縁部である必要はない。
【００４９】
また、上記実施形態では、本発明に係る部品の結合構造を有する電子機器として、携帯電話機１を例に挙げて説明したが、本発明はこれに限らず、ＰＨＳ（Personal Handy-phone System）、ＰＤＡ（Personal Digital Assistant）、パソコン、タブレット端末、電子辞書、電卓、ゲーム機などの携帯端末は勿論、その他の電子機器にも適用することができる。
【符号の説明】
【００５０】
１  携帯電話機（電子機器）
３  筐体
５  カードコネクタ
７  サブ回路基板
９  カメラユニット
１１  メイン回路基板
１３  電池パック
１４  表示装置
１５  表側キャビネット（第１部品）
１７  裏側キャビネット（第２部品）
１９  リヤカバー
２１  金属板
２３  フレーム部
２５  内側壁部
２５ａ，２５ｂ，２５ｃ，２５ｄ，２９ａ，２９ｂ  側壁部
２７  後壁部
２９  外側壁部
３１  防水シート
３５  留め具
３７  ボス部
３９  挿通孔
４１  ビス
４３，４５  挿入孔
４７  防水パッキン
４９  当接部
５１  係止部
５３  取外し用係合部
５５  把手
５７  取外し用孔
５９  傾斜面
６１  抜止め片
７１  係止爪
７３  庇部
１０１  治具
【図１】
2015130609.tif 000003
【図２】
2015130609.tif 000004
【図３】
2015130609.tif 000005
【図４】
2015130609.tif 000006
【図５】
2015130609.tif 000007
【図６】
2015130609.tif 000008